(57)【要約】【課題】カーエアコンなどの電装品やＡＶ機器等の操作用スイッチに用いられるプッシュオンスイッチに関し、操作感触の良好なものを提供することを目的とする。【解決手段】１５は絶縁樹脂からなる駆動体で、円柱形状の操作部１５Ａの下方が上記ケース１１の開口部内に位置する略方形のフランジ部１５Ｂとなり、そのフランジ部１５Ｂの略方形の各コーナー部に、水平方向に突出した摺接突起１５Ｃが設けられ、スイッチ操作により、この摺接突起１５Ｃが、ケース１１凹部の４ヶ所の角部に沿うように垂下して設けられているカバー１６の脚部１７の金属板からなる露出面上に摺接しつつ案内される構成とした。【選択図】図１
2006049258.tif 000002
【特許請求の範囲】
【請求項１】
上方開口の凹部底面に電気的に独立した複数の固定接点を備えた絶縁樹脂製のケースと、そのケースの凹部内に収納されて押圧操作により弾性変形して上記複数の固定接点間を接離動作させる弾性体と、その弾性体の上部に配された駆動体と、その駆動体の操作部を上方に突出させるようにして上記ケースに取り付けられた金属板製のカバーとからなり、上記カバーに上記ケースの凹部内に垂下する脚部を設けると共に、押圧操作時に、上記脚部の上記凹部内での露出面に摺接する摺接突起を上記駆動体に設けたプッシュオンスイッチ。
【請求項２】
ケースの角部位置に、カバーの垂下する脚部が配置された請求項１記載のプッシュオンスイッチ。
【請求項３】
カバーの脚部が、水平断面くの字形で形成され、そのくの字の一方の内面が係止部となされ、その係止部により駆動体が回転方向規制をなされている請求項１記載のプッシュオンスイッチ。
【請求項４】
カバーの脚部が、開口部が内側を向いた水平断面コの字形で、そのコの字形の両側部が係止部となされ、その係止部により駆動体が回転方向規制をなされている請求項１記載のプッシュオンスイッチ。
【請求項５】
駆動体の操作部を突出させるように設けられたカバーの中央孔を形成する周縁部を、筒状部とし、その筒状部により上記駆動体の操作部が傾倒規制をなされている請求項１記載のプッシュオンスイッチ。
【発明の詳細な説明】
【技術分野】
【０００１】
本発明は、カーエアコンなどの電装品やＡＶ機器等の操作用スイッチに用いられるプッシュオンスイッチに関するものである。
【背景技術】
【０００２】
近年、カーエアコンやＡＶ機器は、他社との差別化を図るために、高級感を訴求して操作性の快適さを求めるものも増えてきており、それら機器の操作用スイッチに用いられるプッシュオンスイッチにおいても、スイッチを操作した時の操作感触が良好なものが求められている。
【０００３】
このような従来のプッシュオンスイッチについて、図８〜図９を用いて説明する。
【０００４】
図８は従来のプッシュオンスイッチの分解斜視図、図９は図８のＰ−Ｐ線における断面図であり、同図において、１は絶縁樹脂からなる上方開放の箱形のケースで、その凹部は上面視略方形に構成され、その凹部の内底面１Ａの中央部には一対の金属板からなる固定接点２がインサート成形されて固定されている。３は上記ケース１の内底面１Ａに載置された下方開口の円錐形状のエラストマーからなる弾性体で、下方開口の内部上面に良導電性の可動接点４を備えている。弾性体３の下方外周部分は、上記ケース１の互いに直交する側壁１Ｂの内面下方部に各々備えられた保持部１Ｃにより保持されている。
【０００５】
そして、５は、四角形状の平板５Ａの四隅から各々垂下する脚部５Ｂを有すると共に、上記それぞれの脚部５Ｂの下端に側方への突出部５Ｃが形成された絶縁樹脂製の駆動体であり、上記平板５Ａが上記弾性体３上に載置されている。
【０００６】
また、６は、中央に設けた矩形孔６Ａから上記駆動体５の平板５Ａを突出させるようにしてケース１に取り付けられた金属薄板製のカバーであり、上記ケース１の上方開口部分は矩形孔６Ａ周囲の平板部分で覆われている。なお、７は上記固定接点２から導出された端子である。
【０００７】
そして、上記駆動体５の配置状態で、各脚部５Ｂは、上記ケース１の凹部の４つの角部位置に対応させて配されている。そして、上記４つの角部は、ケース１のそれぞれ隣り合う側壁１Ｂ内面どうしと、各側壁１Ｂ内面側に備えられた保持部１Ｃの側端面で囲まれた案内穴１Ｄとなされ、その案内穴１Ｄで上記駆動体５の脚部５Ｂ下端の突出部５Ｃが案内される構成となっている。
【０００８】
以上のように構成されたプッシュオンスイッチにおいて、駆動体５の平板５Ａを押圧すると、駆動体５の脚部５Ｂ下端に設けられた突出部５Ｃがケース１内側の角部に設けられた案内穴１Ｄで案内されつつ下降する。それに伴い、駆動体５の平板５Ａ下面が弾性体３の上面を下方に押圧し、駆動体５が所定量押圧された時点で弾性体３の円錐形を形成する傾斜部分が節度をもって弾性変形して、駆動体５の内部上面に備えられた可動接点４が一対の固定接点２と接触し、スイッチＯＮ状態となる。
【０００９】
そして、駆動体５への押圧力を解除すると、弾性変形していた弾性体３の傾斜部分が自身の復元力により節度を伴いつつ元の形状に戻って駆動体５を上方に押し戻す。これにより、可動接点４が固定接点２から離れ、元のスイッチＯＦＦの状態に戻る。このときも、駆動体５は脚部５Ｂ下端に設けられた突出部５Ｃが上記ケース１の案内穴１Ｄで案内されつつ図９に示す元の状態に戻るものであった。
【００１０】
なお、この出願の発明に関連する先行技術文献情報としては、例えば、特許文献１が知られている。
【特許文献１】実開平４−１１１１１９号公報
【発明の開示】
【発明が解決しようとする課題】
【００１１】
しかしながら、上記従来のプッシュオンスイッチにおいては、押圧操作を行うことにより、駆動体５の脚部５Ｂに設けられた突出部５Ｃが、ケース１の角部に設けられた案内穴１Ｄで案内されつつ上下動するが、その際、案内穴１Ｄを形成しているケース１の側壁１Ｂ内面と脚部５Ｂの突出部５Ｃは、各々樹脂で構成され、上記両者の摺接となるため、押圧操作時の感触にざらつき感を生じ易くなるという課題があった。
【００１２】
本発明は、このような従来の課題を解決するものであり、操作感触の良いプッシュオンスイッチを提供することを目的とする。
【課題を解決するための手段】
【００１３】
上記目的を達成するために本発明は、以下の構成を有するものである。
【００１４】
本発明の請求項１に記載の発明は、上方開口の凹部底面に電気的に独立した複数の固定接点を備えた絶縁樹脂製のケースと、そのケースの凹部内に収納されて押圧操作により弾性変形して上記複数の固定接点間を接離動作させる弾性体と、その弾性体の上部に配された駆動体と、その駆動体の操作部を上方に突出させるようにして上記ケースに取り付けられた金属板製のカバーとからなり、上記カバーに上記ケースの凹部内に垂下する脚部を設けると共に、押圧操作時に、上記脚部の上記凹部内での露出面に摺接する摺接突起を上記駆動体に設けたプッシュオンスイッチであり、樹脂からなる駆動体の摺接突起を金属板からなるカバーの脚部の露出面で摺接案内させる構成としたため、ざらつき感など少なく、押圧操作時に操作感触の良いプッシュオンスイッチとすることができるという作用を有する。
【００１５】
請求項２に記載の発明は、請求項１記載の発明において、ケースの角部位置に、カバーの垂下する脚部が配置されたものであり、ケースの角部位置の有効活用が図れ、かつケースの側壁の内面に沿わせてカバーの脚部を容易に配置することができるという作用を有する。
【００１６】
請求項３に記載の発明は、請求項１記載の発明において、カバーの脚部が、水平断面くの字形で形成され、そのくの字の一方の内面が係止部となされ、その係止部により駆動体が回転方向規制をなされているものであり、押圧操作時に駆動体の回転規制を伴いながら押下動作されるものにでき、駆動体の摺接突起がカバーの脚部の露出面上に安定して摺接するものにできるという作用を有する。
【００１７】
請求項４に記載の発明は、請求項１記載の発明において、カバーの脚部が、開口部が内側を向いた水平断面コの字形で、そのコの字形の両側部が係止部となされ、その係止部により駆動体が回転方向規制をなされているものであり、両側部の係止部間の間隔を駆動体の摺接突起の幅寸法に対応した寸法に設定することにより、押圧操作時の駆動体の押下動作を安定したものにできるという作用を有する。
【００１８】
請求項５に記載の発明は、請求項１記載の発明において、駆動体の操作部を突出させるように設けられたカバーの中央孔を形成する周縁部を、筒状部とし、その筒状部により上記駆動体の操作部が傾倒規制をなされているものであり、駆動体の操作部がカバーの筒状部によりガイドされて傾倒し難くなるため、押圧操作時の駆動体の押下動作がさらに滑らかで安定したものにできるという作用を有する。
【発明の効果】
【００１９】
以上のように本発明によれば、駆動体を押圧操作した際に、ケースの凹部内で、駆動体の摺接突起が金属薄板製のカバーに設けられた脚部の露出面を上下方向で摺接する構成としたため、押圧操作時に操作感触の良いプッシュオンスイッチを提供できるという有利な効果が得られる。
【発明を実施するための最良の形態】
【００２０】
以下、本発明の実施の形態について、図１〜図７を用いて説明する。
【００２１】
（実施の形態）
図１は本発明の一実施の形態によるプッシュオンスイッチの分解斜視図、図２は図１に示すＡ−Ａ線における断面図、図３は図１に示すＢ−Ｂ線における断面図である。
【００２２】
図１〜図３において、１１は、上方開口の凹部を備えた絶縁樹脂からなる箱形のケースで、その凹部の内底面１１Ａは、中央部が円形状にさらに窪んだ円形凹部１１Ｂに構成され、その円形凹部１１Ｂの底部外周位置に外側固定接点１２Ａが配設され、また円形凹部１１Ｂの底部中央位置には中央固定接点１２Ｂが配設されている。この外側固定接点１２Ａと中央固定接点１２Ｂは電気的に独立状態で固定されている。そして、ケース１１の凹部は、互いに直交した側壁１１Ｃで囲まれる内部空間で構成され、上面視で隣り合う側壁１１Ｃの内面どうしで構成された角部は、内面側が面取りされた面取り面１１Ｄで構成されている。
【００２３】
１３は、弾性を有する良導電性金属からなる可動接点で、円環状の外周部１３Ａが上記外側固定接点１２Ａ上に載置され、その外周部１３Ａから中央部上方に向かって舌片状に一体で延出形成された接触部１３Ｂの下面は、上記配置状態で上記中央固定接点１２Ｂに対して所定の間隔を空けて対向している。
【００２４】
１４は、上方が円柱形状のトップ部１４Ａ、その下方に下面開放の円錐形状部１４Ｂが一体形成されたエラストマーからなる弾性体で、ドーム状になされた円錐形状部１４Ｂの内部における天井部分には下方側に向けて突出形成された押圧部１４Ｃを備えている。
【００２５】
そして、この弾性体１４は、円錐形状部１４Ｂの外周が、上記ケース１１の内底面１１Ａ位置からさらに窪んだ円形凹部１１Ｂを形成している内壁面で保持されるように円形凹部１１Ｂ内に配され、円錐形状部１４Ｂの下端は可動接点１３の円環状の外周部１３Ａ上に載せられている。
【００２６】
１５は、上記弾性体１４のトップ部１４Ａ上に載置された絶縁樹脂からなる駆動体である。この駆動体１５は、円柱形状の操作部１５Ａの下方に略方形のフランジ部１５Ｂを備え、上記配置状態でフランジ部１５Ｂは、ケース１１の開口部内に位置し、そのフランジ部１５Ｂの略方形の各コーナー部には、側方水平方向に突出した摺接突起１５Ｃがそれぞれ設けられている。
【００２７】
１６は、金属薄板製のカバーで、略八角形の平板１６Ａの中央円形孔１６Ｂから上記駆動体１５の操作部１５Ａを上方に突出させるようにして、平板１６Ａの一対の対向した端部からそれぞれ下方に向けて折り曲げ形成されたＴ字形の係止爪１６Ｃが、上記ケース１１の対応する側壁１１Ｃ外面側に設けられた係止突起１１Ｅに係止されてケース１１に固定されている。このカバー１６の固定状態で、弾性体１４には若干の圧縮力が加わるように組み合わせられており、それによる弾性体１４からの反発力で駆動体１５のフランジ部１５Ｂおよびそれに配された摺接突起１５Ｃの上面部分は、カバー１６の平板１６Ａの下面に弾接状態となっていると共に、可動接点１３の外周部１３Ａは外側固定接点１２Ａに圧接状態になっている。１８は上記ケース１１に固定された外側固定接点１２Ａ、中央固定接点１２Ｂからそれぞれ外方に延出された端子である。
【００２８】
そして、カバー１６には、上記ケース１１開口部の４ヶ所の角部に形成された面取り面１１Ｄに沿うように平板１６Ａの各端部からそれぞれ垂直下方に垂下する脚部１７が設けられており、各脚部１７先端は、ケース１１の内底面１１Ａに配された保持孔１１Ｆに挿入されて保持されている。各脚部１７は、保持孔１１Ｆで保持された部分を除きケース１１内に向く方向の中央部分が上下方向に亘って露出状態となっている。
【００２９】
さらに、図４にも示すように、カバー１６の４つの脚部１７には、平板１６Ａからの曲げ根元と保持孔１１Ｆで保持された先端とを除く中間部が、水平断面でくの字形に折り曲げられた係止部１７Ａ、１７Ｂを備えた形状になされ、その４つの脚部１７のうち２つが、水平断面で時計回り方向側の端部が折り曲げられた係止部１７Ａで、残りの２つが水平断面で反時計回り方向側の端部が折り曲げられた係止部１７Ｂで構成されている。
【００３０】
そして、駆動体１５の各摺接突起１５Ｃは、上記各脚部１７のケース１１内の露出部分位置に合わせて配置されるよう組み合わせられている。
【００３１】
本発明によるプッシュオンスイッチは以上のように構成され、次にその動作について説明する。
【００３２】
まず、カバー１６から突出した駆動体１５の操作部１５Ａを押圧すると、駆動体１５のフランジ部１５Ｂに備えられた摺接突起１５Ｃが、カバー１６の脚部１７の露出面で摺接案内されながら下方に下がり、操作部１５Ａ下面が弾性体１４のトップ部１４Ａを下方に押圧していく。
【００３３】
そして、駆動体１５が所定量押圧された時点で、弾性体１４の円錐形状部１４Ｂは節度を伴って弾性変形し、それに伴って円錐形状部１４Ｂの内部上面に備えられた押圧部１４Ｃが、可動接点１３の接触部１３Ｂを押し下げケース１１の円形凹部１１Ｂ底面に配された中央固定接点１２Ｂに接触させる。ここで可動接点１３を介して外側固定接点１２Ａと中央固定接点１２Ｂ間が短絡し、スイッチＯＮ状態となる。
【００３４】
また、駆動体１５の操作部１５Ａへの押圧力を解除すると、弾性変形していた弾性体１４の円錐形状部１４Ｂが自身の復元力により節度を伴って復元し、駆動体１５を上方に押し戻すと共に、可動接点１３の接触部１３Ｂも弾性復帰して中央固定接点１２Ｂから離れ、元のスイッチＯＦＦの状態に戻る。このときも、駆動体１５は、各摺接突起１５Ｃがカバー１６の対応する脚部１７の露出面上で摺接案内されつつ、上方に押し戻されていき、フランジ部１５Ｂなどの上面部分がカバー１６の平板１６Ａの下面に弾接することにより停止する。
【００３５】
以上のように本実施の形態によれば、絶縁樹脂からなる駆動体１５の操作部１５Ａに押圧力を加えたり解除したりしてスイッチ操作をした際に、駆動体１５はその摺接突起１５Ｃが金属薄板製の脚部１７の露出した表面を摺接する構成としてあるため、従来の絶縁樹脂どうしの摺接部分による摩擦抵抗よりも少なくでき、良好な操作感触のものにできる。
【００３６】
また、駆動体１５の摺接突起１５Ｃをカバー１６の脚部１７面に摺接させるという当該摺接構造は、箱形のケース１１のデッドスペースになりやすい角部でも容易に配設でき、プッシュオンスイッチの外形寸法を大きくすることなく、かつ新たな構成部材を用いることなく良好な操作感触のものを実現することができる。
【００３７】
そして、ケース１１の互いに直交した側壁１１Ｃ内面が交差する角部を平面で面取りした面取り面１１Ｄで構成すると、その面取り面１１Ｄに沿わせつつカバー１６の脚部１７を容易に配置することができる。
【００３８】
また、図４に示したように、カバー１６の脚部１７において上下方向の中間部に端部が折り曲げられた係止部１７Ａ、１７Ｂを設けているので、駆動体１５の摺接突起１５Ｃは係止部１７Ａ、１７Ｂにより回転方向での動きが規制されて、常に摺接突起１５Ｃが脚部１７面を安定して摺接する良好な操作感触のものに維持できる。なお、上記係止部１７Ａ、１７Ｂは、４つの脚部１７それぞれに設けられていなくても良く、少なくとも水平断面で時計回り方向側の端部が折り曲げられた係止部１７Ａと水平断面で反時計回り方向側の端部が折り曲げられた係止部１７Ｂがそれぞれ１つずつあれば良い。
【００３９】
なお、上記実施の形態で説明したケース１１の角部に面取り面１１Ｄを設けてカバー１６の脚部１７を沿わせて配するものであれば、上述したように組み込み性なども良好でしかも面取り面１１Ｄでの脚部１７の支持効果も期待でき好ましい。
【００４０】
なお、ケース１１の角部に面取り面１１Ｄを設けない場合は、直交する２つの側壁１１Ｃの内面どうしで形成される角部に対し、図５のカバーの外観図に示すように、カバー２１においてケース１１の隣り合う直交した側壁１１Ｃ内面に対応する２つの細幅帯２２Ａを設け、それら２つの細幅帯２２Ａを折り曲げてケース１１の角部に沿う１つの脚部２２となし、上記構成の脚部２２をケース１１の角部ごとに対応させて４ヶ所備えたものとして露出する摺接面としても良い。
【００４１】
また、図６も他の実施形態のカバーを備えたプッシュオンスイッチの水平断面図であり、その切断位置は、上記図２に示すＣ−Ｃ断面と同じ位置である。
【００４２】
この図６に示すカバー３１は、４ヶ所の脚部３２の内、一方の対向位置に配された２つの脚部３２が、上下方向の中間部で幅方向の両端部が内側に折り曲げられて、開口部が内側を向いた水平断面略コの字形に形成されており、その折り曲げられた両端部が係止部３２Ａ、３２Ｂとなされている。なお、他方の対向位置に配された２つの脚部３２は平板状のものとしている。
【００４３】
このように、脚部３２の幅方向両端部に係止部３２Ａ、３２Ｂを設けると、駆動体１５の摺接突起１５Ｃに対し、時計回り方向と反時計回り方向の両方向の回転規制を一つの脚部３２で兼ねさせることができる。そして、この一つの脚部３２の係止部３２Ａ、３２Ｂ間の間隔を駆動体１５の摺接突起１５Ｃの幅寸法に対応した寸法に設定することも容易にできるため、押圧操作による駆動体１５の上下動作に際し、係止部３２Ａ、３２Ｂで摺接突起１５Ｃをがたつき少なくガイドして、良好な操作感触が得られるものが容易に実現できる。
【００４４】
そして、図６に示したように、一方の対向位置に配された２つの脚部３２にそれぞれ係止部３２Ａ、３２Ｂを設けたものとすると、駆動体１５が対向する２ヶ所でバランス良くガイドされるので、回転規制を受けても駆動体１５の上下動作は滑らかなものにできる。
【００４５】
また、図７の断面図に示すものは、駆動体４２の操作部４２Ａを突出させたカバー４１の中央円形孔４１Ａの周縁部を、下方に向けて曲げ加工して、円筒状の筒状部４１Ｂとして設けたものであり、押圧操作時に、上記筒状部４１Ｂ内周面により駆動体４２の円柱形状の操作部４２Ａ外周面がガイドされて傾倒し難くなるため、押圧操作時の駆動体４２の押下動作がさらに滑らかで安定したものにできる。
【００４６】
なお、図７では、上記カバー４１の筒状部４１Ｂは、中央円形孔４１Ａの周縁部を下方に向けて曲げ加工して設けたもので説明したが、中央円形孔の周縁部を上方に向けて曲げ加工して形成した筒状部としても良い。
【００４７】
なお、上述したように本発明によるものは、カバーの脚部をケースの凹部内に配置する構成のものであるため、カバーにアース端子等を設ける等してカバーの静電気対策を施しておくことが好ましい。
【産業上の利用可能性】
【００４８】
本発明によるプッシュオンスイッチは、駆動体を押圧操作した際に、駆動体に設けられた摺接突起が、金属からなるカバーの脚部の露出面上を摺接するため、押圧操作時に良好な操作感触が得られるものにできるという特徴を有し、カーエアコンなどの電装品やＡＶ機器等の操作用スイッチに有用である。
【図面の簡単な説明】
【００４９】
【図１】本発明の一実施の形態によるプッシュオンスイッチの分解斜視図
【図２】図１のＡ−Ａ線における断面図
【図３】図１のＢ−Ｂ線における断面図
【図４】図２のＣ−Ｃ線における断面図
【図５】他の実施形態によるカバーの外観図
【図６】他の実施形態によるプッシュオンスイッチの水平断面図
【図７】他の実施形態によるプッシュオンスイッチの断面図
【図８】従来のプッシュオンスイッチの分解斜視図
【図９】図８のＰ−Ｐ線における断面図
【符号の説明】
【００５０】
１１  ケース
１１Ａ  内底面
１１Ｂ  円形凹部
１１Ｃ  側壁
１１Ｄ  面取り面
１１Ｅ  係止突起
１１Ｆ  保持孔
１２Ａ  外側固定接点
１２Ｂ  中央固定接点
１３  可動接点
１３Ａ  外周部
１３Ｂ  接触部
１４  弾性体
１４Ａ  トップ部
１４Ｂ  円錐形状部
１４Ｃ  押圧部
１５、４２  駆動体
１５Ａ、４２Ａ  操作部
１５Ｂ  フランジ部
１５Ｃ  摺接突起
１６、２１、３１、４１  カバー
１６Ａ  平板
１６Ｂ、４１Ａ  中央円形孔
１６Ｃ  係止爪
１７、２２、３２  脚部
１７Ａ、１７Ｂ、３２Ａ、３２Ｂ  係止部
１８  端子
２２Ａ  細幅帯
４１Ｂ  筒状部
【図１】
2006049258.tif 000003
【図２】
2006049258.tif 000004
【図３】
2006049258.tif 000005
【図４】
2006049258.tif 000006
【図５】
2006049258.tif 000007
【図６】
2006049258.tif 000008
【図７】
2006049258.tif 000009
【図８】
2006049258.tif 000010
【図９】
2006049258.tif 000011